(57)【特許請求の範囲】
【請求項１】
ＰＣ連続梁の長さ方向に設けたネジ筋のネジ山と整合するネジ溝を内面に有する筒体と、
前記筒体に一体的または間接的に設けられ、視準点または視準線が付されており、ＰＣ連続梁のネジ筋接続部においてカプラーの軸方向中心が位置すべきカプラー中心位置と前記視準点または視準線とを整合させることができる視準部材と、
前記筒体をネジ筋に螺合させ、前記視準部材の視準点が前記カプラー中心位置と整合したときの前記筒体の回転角を前記筒体上に留めるための前記筒体に対して固定または回転可能に解放することができる角度記憶部材と、
を有することを特徴とするＰＣ連続梁の単梁の個別コンクリート打設用治具。
【請求項２】
前記角度記憶部材は、前記筒体の外周に回転可能に嵌着し、前記筒体との相対的な回転を固定するための固定ネジを有するリングからなることを特徴とする請求項１に記載のＰＣ連続梁の単梁の個別コンクリート打設用治具。
【請求項３】
前記リングはその外周面上に、水準器を備えていることを特徴とする請求項２に記載のＰＣ連続梁の単梁の個別コンクリート打設用治具。
【請求項４】
前記筒体の外周を取り囲み、前記筒体を回転可能に保持する筒体保持部材を有していることを特徴とする請求項１〜３のいずれかに記載のＰＣ連続梁の単梁の個別コンクリート打設用治具。
【請求項５】
前記筒体保持部材と前記リングは一つの部材からなることを特徴とする請求項４に記載のＰＣ連続梁の単梁の個別コンクリート打設用治具。
【請求項６】
ネジ筋の長さ方向と直交する方向に延びる水平部材を有する支持手段を有し、前記水平部材に前記筒体保持部材をネジ筋の長さ方向と直交する方向に摺動可能に取り付けたことを特徴とする請求項４に記載のＰＣ連続梁の単梁の個別コンクリート打設用治具。
【請求項７】
先にコンクリートを打設する単梁の長さ方向に前記単梁の端部から突出するようにネジ筋を配置する工程と、
連続梁のネジ筋接続部においてカプラーの軸方向中心が位置すべきカプラー中心位置を芯出しする工程と、
前記ネジ筋のネジ山と整合するネジ山を有するゲージ手段と前記ゲージ手段を水平方向と垂直方向に摺動可能に支持し視準点または視準線を有する支持手段とを有する単梁個別コンクリート打設用治具の前記ゲージ手段を、前記ネジ筋のネジ山に整合するように前記ネジ筋に沿わせ、前記支持手段の視準点または視準線を前記カプラー中心位置に整合させ、前記支持手段に対する前記ゲージ手段の相対位置を固定することによって前記ネジ筋のねじ山位置を記憶させる工程と、
次にコンクリートを打設する単梁のためのカプラー中心位置に、前記支持手段の視準点または視準線を合わせる工程と、
次にコンクリートを打設する単梁の長さ方向に、前記カプラー中心位置に向かって前記単梁の端部から突出するようにネジ筋を配置し、前記ゲージ手段のネジ山に前記ネジ筋のネジ山が整合するようにネジ筋の位置を調節する工程と、
を有することを特徴とするＰＣ連続梁の単梁の個別コンクリート打設工法。
【請求項８】
先にコンクリートを打設する単梁の長さ方向に前記単梁の端部から突出するようにネジ筋を配置する工程と、
連続梁のネジ筋接続部においてカプラーの軸方向中心が位置すべきカプラー中心位置を芯出しする工程と、
前記ネジ筋のネジ山と整合するネジ溝を内面に有し、前記カプラー中心位置と整合させるための視準点または視準線を有する筒体を前記ネジ筋に螺合させ、前記カプラー中心位置と前記筒体の視準点とを整合させる工程と、
前記カプラー中心位置と前記筒体の視準点とが整合したときの、前記筒体の回転角を水平または鉛直との関係で前記筒体上に記憶させる工程と、
次にコンクリートを打設する単梁のための前記カプラー中心位置に、前記筒体の視準点または視準線を整合させ、かつ、前記記憶させた回転角となるように筒体を回転させ、その状態を保持する工程と、
次にコンクリートを打設する単梁の長さ方向に、前記カプラー中心位置に向かって前記単梁の端部から突出するようにネジ筋を配置し、前記保持された筒体に所定の距離螺入する工程と、
を有することを特徴とするＰＣ連続梁の単梁の個別コンクリート打設工法。
【発明の詳細な説明】
【０００１】
【発明の属する技術分野】
本発明は、プレキャストコンクリート（ＰＣ）梁のコンクリート打設用治具および工法に係り、特に、ＰＣ連続梁の単梁（本明細書において連続梁を構成する個々の梁をいうものとする）の個別コンクリート打設用の治具および個別コンクリート打設工法に関する。
【０００２】
【従来の技術】
コンクリート建造物のコンクリート構造材のうち、連続梁をプレハブ工場で予め製造し、これらを建設現場に搬入して組み立て、互いに接続させて連続梁を構成し、コンクリート建造物を構築することは従来から行われていた。
【０００３】
建設現場において、ＰＣ連続梁の接続は、単梁を長さ方向に沿って配置し、隣り合う単梁同士を接続する。
【０００４】
隣り合う単梁同士を接続するには、各単梁の長さ方向に沿ってコンクリートに埋設された鉄筋同士を互いに一体的に接続し、鉄筋接続部の空間にコンクリートを打設して各単梁をコンクリートと鉄筋を含めて一体的に構成する。
【０００５】
鉄筋同士を一体的に接続するためには、ネジ筋（表面にネジとなる螺旋状の凹凸を設けた鉄筋）とカプラー（ネジ筋に螺着可能なネジ溝を内面に刻設した筒状部材であって、ネジ筋と同等以上の強度を有するネジ筋接続用の部材）を使用する。
【０００６】
具体的には、単梁同士を接続するには、図１０に示すように、隣り合う単梁から突出したネジ筋５０，５１を、それらの端部が突き合わさるように配置し、両ネジ筋５０，５１にまたがってカプラーを螺着し、カプラー５２を介して両ネジ筋５０，５１を一体的連続的に接続する。
【０００７】
上述した単梁の接続が支障なく行われるためには、ネジ筋５０と５１が一つのカプラー５２に螺合するように、両ネジ筋５０，５１のネジ山がカプラー５２のネジ溝に整合する位置関係に配置されていなければならない。
【０００８】
上記要求を満たすために、従来のＰＣ連続梁は、図１１に示すように、プレハブ工場で予め複数の単梁用の型枠５３を接続完成品の連続梁のように共通のコンクリート打設用ベッド５４上に配置し、各単梁の長さ方向に沿って型枠内にネジ筋５５を配置し、隣り合う単梁のネジ筋５５の端部を突き合わせ、図１０に示したように突き合わさった両ネジ筋にまたがるようにしてカプラー５６を仮に螺着させる。カプラー５６を仮に螺着させることによって各単梁の各ネジ筋５５の位置が定まり、その後に、各単梁型枠５３内にコンクリートを打設していた。
【０００９】
このように、従来はプレハブ工場において、各単梁のネジ筋が予めカプラーを介して一体的連続的に接続されるので、建設現場において隣り合う単梁の突き合わさった両ネジ筋のネジ山がカプラーのネジ溝に整合する位置関係にあることが保証される。
【００１０】
【発明が解決しようとする課題】
しかし、従来のＰＣ連続梁のプレハブ工法は、プレハブ工場で予め複数の単梁型枠を接続完成品の連続梁のように配置するため、プレハブ工場はＰＣ連続梁のプレハブ用の広い場所が必要であった。
【００１１】
また、複数の単梁型枠を同時に配置し、それぞれの単梁型枠にコンクリートを打設することができる広い面積のコンクリート打設用ベッドが必要であった。
【００１２】
上述した広い場所、広いコンクリート打設用ベッドは、いずれもプレハブ工場の設備投資の高騰につながっていた。
【００１３】
また、従来のＰＣ連続梁のプレハブ工法では、連続梁を構成する単梁の個数と同一の個数の型枠を同時に設置する必要があり、特に、単梁の型枠が同一形状・寸法である場合には、同一の形状・寸法の単梁型枠を一つだけ用意して、繰り返し使用したい要求があった。
【００１４】
そこで、本発明が解決しようとする課題は、隣り合う単梁のネジ筋のネジ山がカプラーのネジ溝に整合することを保証し、且つ、個別に単梁をプレハブする（コンクリート打設する）ことができる治具およびその工法を提供することにある。
【００１５】
【課題を解決するための手段】
本発明によるＰＣ連続梁の単梁の個別コンクリート打設用治具は、
ＰＣ連続梁の長さ方向に設けたネジ筋のネジ山と整合するネジ溝を内面に有する筒体と、
前記筒体に一体的または間接的に設けられ、視準点または視準線が付されており、ＰＣ連続梁のネジ筋接続部においてカプラーの軸方向中心が位置すべきカプラー中心位置と前記視準点または視準線とを整合させることができる視準部材と、
前記筒体をネジ筋に螺合させ、前記視準部材の視準点が前記カプラー中心位置と整合したときの前記筒体の回転角を前記筒体上に留めるための前記筒体に対して固定または回転可能に解放することができる角度記憶部材と、
を有することを特徴とするものである。
【００１６】
視準部材の視準点をカプラー中心位置と整合させ、筒体をネジ筋に螺合させ、視準部材の視準点がカプラー中心位置と整合したときの筒体の回転角を角度記憶部材によって前記筒体上に留めることにより、カプラー中心位置に対するネジ筋のネジ山位置を記憶保持する。次に、最初の単梁のネジ筋のネジ山位置を記憶させた治具を次にコンクリートを打設する単梁の接続部に固定し、次の単梁のネジ筋を角度記憶部材に記憶保持させた最初のネジ筋のマジ山に整合させることにより、両ネジ筋のネジ山を整合させることができる。
【００１７】
本発明によるＰＣ連続梁の単梁の個別コンクリート打設工法は、
先にコンクリートを打設する単梁の長さ方向に前記単梁の端部から突出するようにネジ筋を配置する工程と、
連続梁のネジ筋接続部においてカプラーの軸方向中心が位置すべきカプラー中心位置を芯出しする工程と、
前記ネジ筋のネジ山と整合するネジ山を有するゲージ手段と前記ゲージ手段を水平方向と垂直方向に摺動可能に支持し視準点または視準線を有する支持手段とを有する単梁個別コンクリート打設用治具の前記ゲージ手段を、前記ネジ筋のネジ山に整合するように前記ネジ筋に沿わせ、前記支持手段の視準点または視準線を前記カプラー中心位置に整合させ、前記支持手段に対する前記ゲージ手段の相対位置を固定することによって前記ネジ筋のねじ山位置を記憶させる工程と、
次にコンクリートを打設する単梁のためのカプラー中心位置に、前記支持手段の視準点または視準線を合わせる工程と、
次にコンクリートを打設する単梁の長さ方向に、前記カプラー中心位置に向かって前記単梁の端部から突出するようにネジ筋を配置し、前記ゲージ手段のネジ山に前記ネジ筋のネジ山が整合するようにネジ筋の位置を調節する工程と、
を有することを特徴とするものである。
【００１８】
本発明によるＰＣ連続梁の単梁の個別コンクリート打設工法は、
先にコンクリートを打設する単梁の長さ方向に前記単梁の端部から突出するようにネジ筋を配置する工程と、
連続梁のネジ筋接続部においてカプラーの軸方向中心が位置すべきカプラー中心位置を芯出しする工程と、
前記ネジ筋のネジ山と整合するネジ溝を内面に有し、前記カプラー中心位置と整合させるための視準点または視準線を有する筒体を前記ネジ筋に螺合させ、前記カプラー中心位置と前記筒体の視準点とを整合させる工程と、
前記カプラー中心位置と前記筒体の視準点とが整合したときの、前記筒体の回転角を水平または鉛直との関係で前記筒体上に記憶させる工程と、
次にコンクリートを打設する単梁のための前記カプラー中心位置に、前記筒体の視準点または視準線を整合させ、かつ、前記記憶させた回転角となるように筒体を回転させ、その状態を保持する工程と、
次にコンクリートを打設する単梁の長さ方向に、前記カプラー中心位置に向かって前記単梁の端部から突出するようにネジ筋を配置し、前記保持された筒体に所定の距離螺入する工程と、
を有することを特徴とするものである。
【００１９】
本発明のＰＣ連続梁の単梁の個別コンクリート打設工法は、カプラー中心位置に対する最初の単梁のネジ筋のネジ山位置を記憶させ、そのネジ山位置を次の単梁接続部のカプラー中心位置に固定し、この記憶させた最初の単梁のネジ山に次の単梁のネジ山を整合させる。
【００２０】
【発明の実施の形態】
次に、本発明によるＰＣ連続梁の単梁の個別コンクリート打設用治具およびその工法の実施形態について以下に説明する。
【００２１】
最初に、本発明による単梁個別コンクリート打設用治具の一実施形態について説明する。
【００２２】
図１は本発明による単梁個別コンクリート打設用治具の一実施形態の斜視図、図２は、図１の単梁個別コンクリート打設用治具の長さ方向の縦断面図を示している。
【００２３】
本実施形態の図１と図２に示すように、本実施形態による単梁個別コンクリート打設用治具１は、筒体２と、視準部材３と、角度記憶部材４と、筒体保持部材５と、支持手段６とを有している。
【００２４】
筒体２は、ＰＣ連続梁の長さ方向に設けたネジ筋（図示せず）のネジ山と整合するネジ溝を内面に有する部材である。本実施形態の筒体２は、内面に前記ネジ溝を有し、外周面は後述する他の部材と嵌合できるように複数の形状部分を有している。
【００２５】
視準部材３は、カプラー中心位置と整合させるための視準点（視準線としてもよい）を有する部材である。視準部材３は、筒体２と一体的に設けてもよく、別個の部材からなり筒体２に取り付けて、すなわち間接的に設けていてもよい。本実施形態では、視準部材３は筒体２の一部として筒体２と一体的に形成され、外周面は筒体２を回転させるのに便利なようにナット状の形状に形成されている。
【００２６】
本実施形態の視準部材３は、外周面にカプラー中心位置と整合させるための視準点・視準線７（本実施形態は視準点と視準線の双方を有している）を有している。視準部材３は、好ましくは本実施形態のように、ネジ筋の突き合わせ状態を外部から直接目視確認できる突き合わせ確認開口８を有している。
【００２７】
角度記憶部材４は、筒体２をネジ筋に螺入し、視準部材３の視準点７がカプラー中心位置と整合したときの２筒体の回転角を筒体２の上に留めるための部材であって、筒体２に対して固定または回転可能に解放することができるものである。
【００２８】
本実施形態では、角度記憶部材４は筒体２の外周に遊嵌するリング（リング４）からなり、前記リング９は肉厚方向に貫通するネジ穴と固定用ネジ１０を有している。図２に明らかに示すように、リング９はネジ穴と固定用ネジ１０を用いて、筒体２に固定または回転可能に解放することができる。
【００２９】
なお、角度記憶部材４は筒体２の回転角を筒体２に留めることができるものなら、ネジ穴と固定用ネジ１０に限られず、たとえば、筒体２の回転角を筒体２上に仮に記すことができるもの（マーカー等）であってもよい。
【００３０】
筒体保持部材５は、筒体２の外周を取り囲み、筒体２を回転可能に保持する部材である。筒体保持部材５は、上記機能を果たす限り任意の形状であってよいが、本実施形態の筒体保持部材５は、筒体２の外周を取り囲む円筒からなる。本実施形態の筒体保持部材５は、肉厚方向に穿設されたネジ穴１１を有している。このネジ穴１１は、図２に明らかに示すように、支持ネジ１２（図２参照）によって筒体保持部材５を支持手段６に固定するためのものである。
【００３１】
なお、筒体保持部材５は、あれば筒体２をネジ筋に螺入する場合に便利であるが、これを省略してもよい。
【００３２】
支持手段６は、筒体２と視準部材３とリング４と筒体保持部材５を一定の高さに支持する手段であり、水平部材１３を有している。
【００３３】
なお、支持手段６は、必要により省略してもよい。
【００３４】
水平部材１３は支持用開口１４を有している。本実施形態の支持用開口１４は、図１に示すように、長穴からなり、ネジ筋の長さ方向と直交する方向に筒体２と視準部材３とリング４と筒体保持部材５を摺動可能に支持するようになっているが、支持用開口１４は長穴になっていなくてもよい。
【００３５】
次に、単梁個別コンクリート打設用治具１の作用について図３と図４を用いて説明する。
【００３６】
図３は、単梁個別コンクリート打設用治具１の使用法を時間との関係で概念的説明的に示している。
【００３７】
本発明による連続梁の単梁個別コンクリート打設工法は、連続梁を構成する個々の単梁を個別単独にコンクリート打設する工法である。図３に示すように、先にコンクリート打設する単梁は、図３においてその右側に示した接続部で、次にコンクリート打設する単梁と接続する。
【００３８】
本発明では単梁を個別単独にコンクリート打設するので、先にコンクリート打設する単梁にコンクリートを打設する際は、次にコンクリート打設する単梁もそのネジ筋も存在しない。このような単梁の個別コンクリート打設工法では、先にコンクリート打設する単梁のネジ筋の端部の位置とそのネジ山を、次の単梁のコンクリート打設時まで記憶保持し、次の単梁のネジ筋の位置を調整して最初の単梁のネジ山とともに同一のカプラーに螺着できるようにしなければならない。
【００３９】
そこで、図３に示すように、本発明では、先にコンクリート打設する単梁にコンクリート打設する際に、接続部におけるネジ筋端部の位置とネジ山を、単梁個別コンクリート打設用治具１によって記憶保持する（図３上段）。
【００４０】
次に、最初の単梁のコンクリート打設完了後に、同一のコンクリート打設用ベッドと型枠を用いて次の単梁のコンクリート打設を行う。
【００４１】
このとき、次にコンクリート打設する単梁の型枠にネジ筋を配置し、本発明による単梁個別コンクリート打設用治具１を接続部（後の単梁の左側）に設置し、ネジ筋を単梁個別コンクリート打設用治具１によって記憶保持されたネジ山に合わせるように位置を調節するのである。
【００４２】
本発明による単梁個別コンクリート打設用治具１によるネジ筋の端部位置、ネジ山の記憶保持の方法、原理について図４を用いて説明する。
【００４３】
図４（ａ）〜図４（ｄ）は先にコンクリート打設する単梁のネジ筋の端部位置およびネジ山を、次にコンクリート打設する単梁に伝える方法を時系列的に示したものである。
【００４４】
図４（ａ）に示すように、まず先にコンクリートを打設する単梁の長さ方向に単梁端部から突出するようにネジ筋１５を配置し、カプラーの中心位置、すなわち、接続部の中心を芯出しする。
【００４５】
次に、上述したように位置を定めたネジ筋１５に対して、本発明による単梁個別コンクリート打設用治具１の筒体２を、その視準点７がカプラー中心位置に整合するまでネジ筋１５に螺入する。
【００４６】
図４（ｂ）はカプラー中心位置と治具１の視準点７とが整合した状態を示している。続いて、この時の治具１の筒体２の回転角度を記憶するために、図に示すように、リング４の所定箇所、たとえば、ネジ穴と固定用ネジ１０を垂直上方に位置させ、筒体２に対するリング４の回転を固定する。
【００４７】
次に、単梁個別コンクリート打設用治具１を取り外し、次にコンクリート打設する単梁の対応する接続部に、治具１の視準点７がその接続部におけるカプラー中心位置に整合し、且つ、筒体２の回転角が同一になるように、前記の例ではネジ穴と固定用ネジ１０が垂直上方になるように、治具１を支持・保持する。
【００４８】
この間に、先にコンクリート打設する単梁にコンクリートを打設し、硬化した後にコンクリート打設用ベッドから搬出し、同一のコンクリート打設用ベッドに次の単梁用の型枠を用意し、その内部にネジ筋１６を配設する。
【００４９】
次に、図４（ｃ）に示すように、次の単梁用のネジ筋１６を上記保持された治具１の筒体２に螺入する。
【００５０】
このとき、最初の単梁のネジ筋１５の位置によって、特定の点、たとえばカプラー中心位置のネジ山が規定されるが、その特定点のネジ山の位置は筒体２の視準点７を整合させ、筒体２の回転角を特定することによって記憶保持され、次の単梁のネジ筋設置時にカプラー中心位置と筒体２の視準点７を整合させ、且つ、筒体２の回転角を再現することにより、カプラー中心位置におけるネジ山が再現される。なお、筒体２の回転角の再現は、リング４の所定箇所を当初の角度にすることにより、この例ではネジ穴と固定用ネジ１０を垂直上方に位置させることにより、再現される。なお、垂直上方に限られず、水平方向でもよく、また、垂直または水平に関して一定の角度を有するように予め定めてもよい。
【００５１】
こうすることにより、そのように保持された筒体２に次にコンクリート打設する単梁のネジ筋１６を螺入させれば、最初の単梁のネジ筋１５のネジ山と整合し、同一のカプラーに螺着させることができる。
【００５２】
図４（ｄ）は、ネジ筋１６を筒体２に螺入した状態を示している。ネジ筋１６の端部の位置は、ネジ筋１６の回転によって任意に調節でき、且つ、それでもネジ筋１６と最初の単梁のネジ筋１５とネジ山が整合することができる。
【００５３】
次に、本発明の他の実施形態について説明する。
【００５４】
図５は本発明の第二の実施形態を示している。
【００５５】
図５において、図１と同一部分については同一の符号を付して重複する説明を省略する。
【００５６】
図５に示すように、本実施形態はリング４の外周部に水準器１８を有している。この実施形態の治具１７は、水準器１８を設けている点以外は図１に示した治具１と変わらない。
【００５７】
水準器１８は、通常のものでよく、図示するものは透明なチューブ内に液体を封入し、一つの気泡が封入されたものである。
【００５８】
本実施形態の治具１７によれば、筒体２を螺入させて視準点７とカプラー中心位置とを整合させた時に、リング４を回転させ、水準器１８によって水準器１８が設けられた箇所を正確かつ容易にリング４の最上部に位置させることができる。水準器１８が設けられた箇所をリングの最上部に位置させた状態で、ネジ穴と固定用ネジ１０によってリング４を筒体２に固定し、筒体２の回転角を記憶・保持させることができる。筒体２の回転角を再現する場合も水準器１８によって容易かつ正確に再現することができる。
【００５９】
次に、本発明の第三の実施形態について説明する。
【００６０】
図６は本発明の第三実施形態による単梁個別コンクリート打設用治具１９を示している。図６において、図２と同一部分については同一の符号を付して重複する説明を省略する。
【００６１】
図６に示すように、本実施形態の治具１９はリングと筒体保持部材が一体的に形成され、一つの部材２０となっている。この実施形態の治具１９は、リングと筒体保持部材が一体的部材２０になっている点以外は図２に示した治具１と変わらない。
【００６２】
本実施形態の治具１９によれば、一体的部材２０に設けられたネジ穴１１と支持手段６の支持用開口１４とを整合させることにより、一体的部材２０の上方位置が確定される。従って、筒体２をネジ筋に螺入させ、視準点７とカプラー中心位置とを整合させた状態で、ネジ穴１１は常に垂直上方を向いており、ネジ穴と固定用ネジ１０によって一体的部材２０と筒体２とを固定させればよい。
【００６３】
筒体２の回転角を再現させる場合も同様である。
【００６４】
次に、本発明の第四実施形態について説明する。
【００６５】
図７は本発明の第四実施形態による単梁個別コンクリート打設用治具２１を示している。
【００６６】
本実施形態の治具２１は、支持手段２２がネジ筋の長さ方向と直交する方向に複数のネジ筋にまたがって延びる水平部材２３を有し、この水平部材２３は複数（図の例では２つ）の長穴２４を有し、支持ネジ１２によって、図１の治具１を複数個（図の例では２つ）ネジ筋の長さ方向と直交する方向に摺動可能に取り付けている。
【００６７】
本実施形態によれば、先にコンクリート打設する単梁の複数のネジ筋の間隔に、各治具１を合わせて支持ネジ１２によって固定することにより、先にコンクリート打設する単梁のネジ筋の間隔も記憶保持することができる。
【００６８】
これにより、ネジ筋の突き合わせの位置のみならず、ネジ筋の長さ方向に直交する間隔も次にコンクリート打設する単梁に伝えることができる。
【００６９】
次に本発明の第五実施形態について説明する。
【００７０】
図８は本発明の第五実施形態による単梁個別コンクリート打設用治具２５を示している。
【００７１】
本実施形態の治具２５は、ゲージ手段２６（ゲージ２６）と、ゲージ２６を水平方向および垂直方向に摺動可能に支持する支持手段２７とを有している。なお、摺動機構の一例として図８では、長穴と固定用のナットの組み合わせを例示している。
【００７２】
ゲージ２６は、ネジ筋のネジ山と整合する凹凸面を有している。
【００７３】
支持手段２７は、その一部にカプラー中心位置と整合させる視準点２８・視準線２８（図の例ではその双方）を有している。
【００７４】
この実施形態の治具２５による、単梁個別コンクリート打設工法について図９を用いて説明する。
【００７５】
図９（ａ），図（ｂ）は、先にコンクリート打設する単梁のネジ筋のネジ山位置を次にコンクリート打設する単梁のネジ筋に伝える方法を時系列的に示したものである。
【００７６】
図９（ａ）に示すように、本実施形態による単梁個別コンクリート打設工法においても、先にコンクリートを打設する単梁の長さ方向にその単梁端部から突出するようにネジ筋２９を配置する。
【００７７】
次に、接続部におけるカプラー中心位置を芯出しする。
【００７８】
次に、治具２５の視準点２８をカプラー中心位置に整合させ、治具２５の支持手段２７を固定し、次に、ゲージ２６を水平方向および垂直方向に摺動させ、ネジ筋２９のネジ山に整合するようにゲージ２６をネジ筋２９に沿わせ、整合する位置で固定用ナットを固定することによって、そのときのカプラー中心位置に対応するゲージ２６上の位置、すなわちゲージ２６に対するそのときの視準点２８の位置を確定する。
【００７９】
以上のようにしてカプラー中心位置とネジ筋２９のネジ山の位置関係を記憶させた治具２５を、次にコンクリートを打設する単梁の接続部に移動し、当該接続部におけるカプラー中心位置に視準点２８を整合させ、支持手段２７を床に固定する（図９（ｂ）参照）。
【００８０】
その間に、先にコンクリート打設すべき単梁にコンクリートを打設し、硬化した後にコンクリート打設用ベッドから搬出し、同一のコンクリート打設用ベッドに次の単梁用の型枠を用意し、その内部にネジ筋３０を配設する。
【００８１】
続いて、図９（ｂ）に示すように、ネジ筋３０を水平に摺動させ、あるいは回転させて、ネジ筋３０のネジ山がゲージ２６のネジ山整合するようにする。
【００８２】
こうすることにより、図９（ｂ）から分かるように、ネジ筋２９とネジ筋３０が同一のゲージ２６のネジ山と整合し、建設現場においても同一のカプラーのネジ山に支障なく螺合させることができる。
【００８３】
【発明の効果】
以上の説明から明らかなように、本発明のＰＣ連続梁の単梁の個別コンクリート打設用治具およびその工法によれば、上述した種々の単梁個別コンクリート打設用治具によって、先にコンクリートを打設する単梁のネジ筋のカプラー中心位置に対するネジ山の位置を記憶保持し、次にコンクリートを打設する単梁のネジ筋を最初の単梁のネジ筋のネジ山に整合させることができる。
【００８４】
これによって、複数の単梁からなる連続梁についても、個々の単梁を個別単独にコンクリートを打設することができる。
【００８５】
これにより、従来のようにプレハブ工場で予め複数の単梁型枠を接続完成品の連続梁のように配置するための広い場所を要しない。
【００８６】
また、特に同一形状、寸法の単梁については、同一の型枠を繰り返し使用でき、型枠の費用も節約することができる。
【００８７】
さらに、上述したように複数の単梁型枠を接続完成品の連続梁のように配置する必要がないために、広いコンクリート打設用ベッドを必要としないのである。
【図面の簡単な説明】
【図１】本発明の第一実施形態による単梁個別コンクリート打設用治具の斜視図。
【図２】本発明の第一実施形態による単梁個別コンクリート打設用治具の長さ方向縦断面図。
【図３】本発明の第一実施形態による単梁個別コンクリート打設用治具の使用法を説明した図。
【図４】本発明の第一実施形態による単梁個別コンクリート打設用治具の作用を時系列的に説明した図。
【図５】本発明の第二実施形態による単梁個別コンクリート打設用治具の斜視図。
【図６】本発明の第三実施形態による単梁個別コンクリート打設用治具の長さ方向の縦断面図。
【図７】本発明の第四実施形態による単梁個別コンクリート打設用治具の斜視図。
【図８】本発明の第五実施形態による単梁個別コンクリート打設用治具の概略正面図。
【図９】本発明の第五実施形態による単梁個別コンクリート打設用治具の作用を時系列的に説明した図。
【図１０】連続梁のネジ筋の接続部を拡大して示した一部切断した縦断面図。
【図１１】従来の連続梁のプレハブ工法を示した図。
【符号の説明】
１  第一単梁個別コンクリート打設用治具
２  筒体
３  視準部材
４  角度記憶部材
５  筒体保持部材
６  支持手段
７  視準点
８  突き合わせ確認開口
１０  ネジ穴と固定用ネジ
１１  ネジ穴
１２  支持ネジ
１３  水平部材
１４  支持用開口
１５  ネジ筋
１６  ネジ筋
１７  第二実施形態の単梁個別コンクリート打設用治具
１８  水準器
１９  第三実施形態の単梁個別コンクリート打設用治具
２０  一体的部材
２１  第四実施形態による単梁個別コンクリート打設用治具
２２  支持手段
２３  水平部材
２４  長穴
２５  第五実施形態による単梁個別コンクリート打設用治具
２６  ゲージ手段
２７  支持手段
２８  視準点
２９  ネジ筋
３０  ネジ筋
【図１】
0003693616.tif 000002
【図２】
0003693616.tif 000003
【図３】
0003693616.tif 000004
【図４】
0003693616.tif 000005
【図５】
0003693616.tif 000006
【図６】
0003693616.tif 000007
【図７】
0003693616.tif 000008
【図８】
0003693616.tif 000009
【図９】
0003693616.tif 000010
【図１０】
0003693616.tif 000011
【図１１】
0003693616.tif 000012